【手続補正書】
【提出日】平成15年12月10日(2003.12.10)
【手続補正１】
【補正対象書類名】明細書
【補正対象項目名】特許請求の範囲
【補正方法】変更
【補正の内容】
【特許請求の範囲】
【請求項１】
記録媒体を搬送する搬送手段と、
前記搬送手段を駆動するＤＣブラシレスモータと、
設定される制御値に基づいて、前記ＤＣブラシレスモータを制御する制御手段を有し、
前記制御手段は、前記記録媒体をスイッチバックさせる際に、前記ＤＣブラシレスモータのブレーキ制御を行った後に、前記ＤＣブラシレスモータを逆回転させることを特徴とする画像形成装置。
【請求項２】
前記制御手段は、前記ＤＣブラシレスモータの特定の相に対して所定時間に所定電流を流すことによりブレーキ制御を行うことを特徴とする請求項１記載の画像形成装置。
【請求項３】
前記制御手段は、前記ＤＣブラシレスモータの全相に対してＧＮＤへ短絡することによりブレーキ制御を行うことを特徴とする請求項１記載の画像形成装置。
【請求項４】
前記制御手段によるＤＣブラシレスモータの逆回転後の加速期間における制御値と所定回転数に達した後における制御値とは異なることを特徴とする請求項１記載の画像形成装置。
【請求項５】
前記記録媒体上の画像を定着させる定着手段を有し、
前記定着手段及び前記搬送手段が１つのＤＣブラシレスモータにより駆動されることを特徴とする請求項１記載の画像形成装置。
【請求項６】
前記制御手段の制御値を前記定着手段の温度条件に応じて変更することを特徴とする請求項５記載の画像形成装置。
【請求項７】
前記制御手段の制御値を記録媒体の搬送速度に応じて変更することを特徴とする請求項１記載の画像形成装置。
【請求項８】
記録媒体を搬送する搬送手段と、
前記記録媒体上の画像を定着させる定着手段と、
前記搬送手段と前記定着手段とを駆動するモータと、
前記モータのブレーキ制御を行った後に、前記モータを逆回転させることにより前記記録媒体をスイッチバックさせるスイッチバック動作を実行する制御手段と、
前記スイッチバック動作の所定期間、前記定着手段の加熱を一時的に抑制する定着制御手段を有することを特徴とする画像形成装置。
【請求項９】
前記制御手段は、設定される制御値に基づいて前記モータを制御することを特徴とする請求項７記載の画像形成装置。
【請求項１０】
記録媒体を搬送する搬送手段と、前記搬送手段を駆動するＤＣブラシレスモータと、設定される制御値に基づいて前記ＤＣブラシレスモータを制御する制御手段とを有する画像形成装置の制御方法であって、
前記記録媒体をスイッチバックさせる際に、前記ＤＣブラシレスモータのブレーキ制御を行った後に、前記ＤＣブラシレスモータを逆回転させることを特徴とする画像形成装置の制御方法。
【請求項１１】
記録媒体を搬送する搬送手段と、前記記録媒体上の画像を定着させる定着手段と、前記搬送手段と前記定着手段とを駆動するモータとを有する画像形成装置の制御方法であって、
前記モータのブレーキ制御を行った後に、前記モータを逆回転させることにより前記記録媒体をスイッチバックさせるスイッチバック動作を実行するとともに、前記スイッチバック動作の所定期間、前記定着手段の加熱を一時的に抑制することを特徴とする画像形成装置の制御方法。
【請求項１２】
記録媒体を搬送する搬送手段と、前記搬送手段を駆動するＤＣブラシレスモータと、設定される制御値に基づいて前記ＤＣブラシレスモータを制御する制御手段とを有する画像形成装置のためのプログラムであって、
前記記録媒体をスイッチバックさせる際に、前記ＤＣブラシレスモータのブレーキ制御を行った後に、前記ＤＣブラシレスモータを逆回転させるためのプログラムを格納したことを特徴とする記憶媒体。
【請求項１３】
記録媒体を搬送する搬送手段と、前記記録媒体上の画像を定着させる定着手段と、前記搬送手段と前記定着手段とを駆動するモータとを有する画像形成装置ためのプログラムであって、
前記モータのブレーキ制御を行った後に、前記モータを逆回転させることにより前記記録媒体をスイッチバックさせるスイッチバック動作を実行するとともに、前記スイッチバック動作の所定期間、前記定着手段の加熱を一時的に抑制するためのプログラムを格納したことを特徴とする記憶媒体。
【手続補正２】
【補正対象書類名】明細書
【補正対象項目名】００３５
【補正方法】変更
【補正の内容】
【００３５】
（１）記録媒体を搬送する搬送手段と、
前記搬送手段を駆動するＤＣブラシレスモータと、
設定される制御値に基づいて、前記ＤＣブラシレスモータを制御する制御手段を有し、
前記制御手段は、前記記録媒体をスイッチバックさせる際に、前記ＤＣブラシレスモータのブレーキ制御を行った後に、前記ＤＣブラシレスモータを逆回転させるようにした。


【手続補正３】
【補正対象書類名】明細書
【補正対象項目名】００３６
【補正方法】変更
【補正の内容】
【００３６】
（２）前記（１）の画像形成装置において、制御手段は、前記ＤＣブラシレスモータの特定の相に対して所定時間に所定電流を流すことによりブレーキ制御を行うようにした。


【手続補正４】
【補正対象書類名】明細書
【補正対象項目名】００３７
【補正方法】変更
【補正の内容】
【００３７】
（３）前記（１）の画像形成装置において、制御手段は、前記ＤＣブラシレスモータの全相に対してＧＮＤへ短絡することによりブレーキ制御を行うようにした。


【手続補正５】
【補正対象書類名】明細書
【補正対象項目名】００３８
【補正方法】変更
【補正の内容】
【００３８】
（４）前記（１）の画像形成装置において、制御手段によるＤＣブラシレスモータの逆回転後の加速期間における制御値と所定回転数に達した後における制御値とは異なるようにした。


【手続補正６】
【補正対象書類名】明細書
【補正対象項目名】００３９
【補正方法】変更
【補正の内容】
【００３９】
（５）前記（１）の画像形成装置において、記録媒体上の画像を定着させる定着手段を有し、
前記定着手段及び前記搬送手段が１つのＤＣブラシレスモータにより駆動されるようにした。


【手続補正７】
【補正対象書類名】明細書
【補正対象項目名】００４０
【補正方法】変更
【補正の内容】
【００４０】
（６）前記（５）の画像形成装置において、制御手段の制御値を前記定着手段の温度条件に応じて変更するようにした。


【手続補正８】
【補正対象書類名】明細書
【補正対象項目名】００４１
【補正方法】変更
【補正の内容】
【００４１】
（７）前記（１）の画像形成装置において、制御手段の制御値を記録媒体の搬送速度に応じて変更するようにした。


【手続補正９】
【補正対象書類名】明細書
【補正対象項目名】００４２
【補正方法】変更
【補正の内容】
【００４２】
（８）記録媒体を搬送する搬送手段と、
前記記録媒体上の画像を定着させる定着手段と、
前記搬送手段と前記定着手段とを駆動するモータと、
前記モータのブレーキ制御を行った後に、前記モータを逆回転させることにより前記記録媒体をスイッチバックさせるスイッチバック動作を実行する制御手段と、
前記スイッチバック動作の所定期間、前記定着手段の加熱を一時的に抑制する定着制御手段を有するようにした。


【手続補正１０】
【補正対象書類名】明細書
【補正対象項目名】００４３
【補正方法】変更
【補正の内容】
【００４３】
（９）前記（７）の画像形成装置において、制御手段は、設定される制御値に基づいて前記モータを制御するようにした。


【手続補正１１】
【補正対象書類名】明細書
【補正対象項目名】００４４
【補正方法】変更
【補正の内容】
【００４４】
（１０）記録媒体を搬送する搬送手段と、前記搬送手段を駆動するＤＣブラシレスモータと、設定される制御値に基づいて前記ＤＣブラシレスモータを制御する制御手段とを有する画像形成装置の制御方法であって、
前記記録媒体をスイッチバックさせる際に、前記ＤＣブラシレスモータのブレーキ制御を行った後に、前記ＤＣブラシレスモータを逆回転させるようにした。


【手続補正１２】
【補正対象書類名】明細書
【補正対象項目名】００４５
【補正方法】変更
【補正の内容】
【００４５】
（１１）記録媒体を搬送する搬送手段と、前記記録媒体上の画像を定着させる定着手段と、前記搬送手段と前記定着手段とを駆動するモータとを有する画像形成装置の制御方法であって、
前記モータのブレーキ制御を行った後に、前記モータを逆回転させることにより前記記録媒体をスイッチバックさせるスイッチバック動作を実行するとともに、前記スイッチバック動作の所定期間、前記定着手段の加熱を一時的に抑制するようにした。


【手続補正１３】
【補正対象書類名】明細書
【補正対象項目名】００４６
【補正方法】変更
【補正の内容】
【００４６】
（１２）記録媒体を搬送する搬送手段と、前記搬送手段を駆動するＤＣブラシレスモータと、設定される制御値に基づいて前記ＤＣブラシレスモータを制御する制御手段とを有する画像形成装置のためのプログラムを格納した記憶媒体であって、
前記記録媒体をスイッチバックさせる際に、前記ＤＣブラシレスモータのブレーキ制御を行った後に、前記ＤＣブラシレスモータを逆回転させるためのプログラムを格納した。
【手続補正１４】
【補正対象書類名】明細書
【補正対象項目名】００４７
【補正方法】変更
【補正の内容】
【００４７】
（１３）記録媒体を搬送する搬送手段と、前記記録媒体上の画像を定着させる定着手段と、前記搬送手段と前記定着手段とを駆動するモータとを有する画像形成装置ためのプログラムを格納した記憶媒体であって、
前記モータのブレーキ制御を行った後に、前記モータを逆回転させることにより前記記録媒体をスイッチバックさせるスイッチバック動作を実行するとともに、前記スイッチバック動作の所定期間、前記定着手段の加熱を一時的に抑制するためのプログラムを格納した。
【手続補正１５】
【補正対象書類名】明細書
【補正対象項目名】００４８
【補正方法】削除
【補正の内容】
【手続補正１６】
【補正対象書類名】明細書
【補正対象項目名】００４９
【補正方法】削除
【補正の内容】
【手続補正１７】
【補正対象書類名】明細書
【補正対象項目名】００５０
【補正方法】削除
【補正の内容】
【手続補正１８】
【補正対象書類名】明細書
【補正対象項目名】００５１
【補正方法】削除
【補正の内容】
【手続補正１９】
【補正対象書類名】明細書
【補正対象項目名】００５２
【補正方法】削除
【補正の内容】
【手続補正２０】
【補正対象書類名】明細書
【補正対象項目名】００５３
【補正方法】削除
【補正の内容】
【手続補正２１】
【補正対象書類名】明細書
【補正対象項目名】００５４
【補正方法】削除
【補正の内容】
【手続補正２２】
【補正対象書類名】明細書
【補正対象項目名】００５５
【補正方法】削除
【補正の内容】
【手続補正２３】
【補正対象書類名】明細書
【補正対象項目名】００５６
【補正方法】削除
【補正の内容】
【手続補正２４】
【補正対象書類名】明細書
【補正対象項目名】００５７
【補正方法】削除
【補正の内容】
【手続補正２５】
【補正対象書類名】明細書
【補正対象項目名】００５８
【補正方法】削除
【補正の内容】